(57)【要約】【課題】自走車両用計器類の計器類の背面に配置された制御ユニットの電子回路やバックライトなどから発生する熱の放熱を効率よく行い、計器装置全体の発熱を防止することができるとともに、電磁波ノイズの漏洩を防止することができる自走車両用計器装置を提供する。【解決手段】自走車両用計器装置で、表示ユニットを実装した表面パネルと、この表示ユニットの背面に配置された表示ユニットのディスプレイを制御する制御ユニットと、この制御ユニットの背面を覆う裏カバーより構成され、裏カバーをアルミ材で形成した自走車両用計器装置とすることで解決している。【選択図】図１
2017094858.tif 000002
【特許請求の範囲】
【請求項１】
表示ユニットを実装した表示パネルと、この表示ユニットの背面に配置された表示ユニットのディスプレイを制御する制御ユニットと、この制御ユニットの背面を覆う裏カバーより構成される自走車両用の計器装置において、裏カバーをアルミ材で形成したことを特徴とする自走車両用計器装置。
【発明の詳細な説明】
【技術分野】
【０００１】
本発明は自動車やオートバイなどの自走車両に搭載される計器装置に関するものである。
【背景技術】
【０００２】
従来の自走車両用計器装置はメーター類や警告表示などに使用されるランプ類などのディスプレイが配置された表示ユニットを実装した表示パネルと、表示ユニットのディスプレイを制御するためのICチップなどの電子機器やバックライトなどが実装され表示パネルの背面に配置された制御ユニットと、異物侵入防止のために制御ユニットの背面を覆うように取り付けられた裏カバーより構成されたものであり、さらにこの裏カバーは鋼板に亜鉛メッキを施した材料をプレス加工によって任意形状に加工したもの、あるいはプラスチック材で任意形状に成形されたものが主に使用されていた。
【０００３】
しかしながらこのように構成された従来の自走車両用計器装置では裏カバーが計器装置の裏面を密閉に近い状態に覆ってしまうため計器類の背面に配置された制御ユニットの電子回路やバックライトなどから発生する熱の放熱が上手くいかず、計器装置全体の発熱を防止することができないため、計器類の誤作動や耐久性の欠如につながってしまうという欠点があった。
【０００４】
さらに制御ユニットから発生する電磁波ノイズが計器装置の外部に漏れることも防止できない、あるいは外部から侵入する電磁波ノイズによって制御ユニットが誤動作することを防止することができないという欠点があった。
【０００５】
この改善策として自走車両としての自動車用計器装置などを冷却する必要性からその冷却手段として計器パネルから発生する熱をヒートパイプを用いて放熱し、計器パネル全体を冷却するという方法も特開２００４-５８９４３号によって開示されているが、このように計器パネル全体を冷却する手段をもってしても部分的な冷却ができるものではなく、その効率に無駄が多いものであった。
【０００６】
さらに電磁波漏洩防止手段として特開２０００-１３６９４９号に車両用計器において、その表示パネルの表面側には、通常、見返し板が環状に設けられていることを考慮して、この見返し板を有効に活用することで、ノイズ発生源からの電磁波ノイズの外部への漏洩を確実に防止する、という手段も開示されているがこれであっても車両用計器装置表側の表示パネルから漏洩する電磁波の漏洩防止手段であって裏カバー側のものではない。
【先行技術文献】
【特許文献】
【０００７】
【特許文献１】特開２００４−５８９４３
【特許文献２】特開２０００−１３６９４９
【発明の概要】
【発明が解決しようとする課題】
【０００８】
解決しようとする課題は自走車両用計器装置の計器類の背面に配置された制御ユニットの電子回路、バックライトなどから発生する熱の放熱を効率よく行うことによって、計器装置全体の発熱を防止し、計器類の誤作動や耐久性の欠如を無くすこと、さらに電磁波ノイズを遮断することである。
【課題を解決するための手段】
【０００９】
本発明は自走車両用計器装置の裏カバーとして熱伝導性に優れた材料であるアルミ材の板を任意形状に加工したものを使用することを主要な特徴としている。
【発明の効果】
【００１０】
本発明は自走車両用計器装置の裏カバーとしてアルミ材の板を任意形状に加工したものを使用することによって、熱伝導の向上により制御パネルの電子機器、バックライトなどから発生した熱を速やかに裏パネルの背面に伝導して放熱することができることで、計器装置全体の放熱が良くなり発熱を効率よく防止しすることができることで計器類の誤作動防止や耐久性の向上につながるという効果と共に電磁波を遮断する効果がある。
【００１１】
さらに裏カバーとしてアルミ材を使用することで鋼板を使用した場合より軽量となり自走車両全体の軽量化ができ、燃費の向上につながるという効果もある。
【図面の簡単な説明】
【００１２】
【図１】発明の実施例を示す分解した状態の斜視図である。
【図２】発明の実施例を示す断面図である。
【発明を実施するための形態】
【００１３】
自走車両用計器装置の計器類の背面に配置された制御ユニットの電子回路やバックライトなどから発生する熱の放熱を効率よく行い、計器装置全体の発熱を防止し、計器類の誤作動や耐久性の欠如を無くすこと、さらに電磁波ノイズを遮断するという目的を、裏カバーをアルミ材で形成したことで実現した。
【実施例】
【００１４】
図１および図２に示す発明の実施例において、１は表示パネルでこの表示パネル１は自走車両の速度、残燃料などを表示するメーター類２や種久の警告表示に使用されるランプ類３などのディスプレイが配置された表示ユニット４として構成されている。
【００１５】
５は表示パネル１の背面に配置され表示ユニット４の表示を制御するためのICチップ、半導体などの電子機器６やバックライト７などの照明機器が配置された制御ユニットである。
【００１６】
８は裏カバーで、この裏カバー８は異物侵入防止のため制御ユニット５の背面を覆うように取り付けられたもので、その材質としてアルミ材の板を任意形状にプレス加工あるいは折り曲げ加工したものが使用される。
【００１７】
さらにこの裏カバー８は腐食防止のための表面処理としてアルマイト加工や鍍金を施したものでも良く、さらに電磁波遮蔽のため導電性の塗料でコーティングされたもの、あるいは電磁波遮蔽効果のあるフィルムを貼り付けたものであっても良い。
【００１８】
このように表示パネル１とその表示パネル１の背面に取り付けられた制御ユニット５と、その制御ユニット５の背面を覆う裏カバー８より構成された自走車両用計器装置１０は自走車両本体のインストルメントパネル９に固定されて使用されるものである。
【００１９】
このように構成された自走車両用計器装置１０では裏カバー８をアルミ材で形成したため、表示ユニット１と裏カバー８内に制御ユニット５から熱が発生したとしてもその熱は裏カバー８の内面から外面に速やかに伝導され、またICチップなど特に発熱しやすい部材から局部的に発生した熱もアルミ材が熱伝導性に優れているため裏カバー８全体に伝導、拡散されることで速やかな冷却を行うことができるとともに、電磁波遮蔽効果により制御ユニットから発生した電磁波ノイズが自走車両用計器装置１０の外部へ漏洩することを防止することができる。
【産業上の利用可能性】
【００２０】
本発明は以上説明したように構成されているので自走車両として自動車、オートバイなどに限らずクレーン車、フォークリフト、耕運機など自走できる車両であれば何にでも利用することができる。
【符号の説明】
【００２１】
１  表示パネル
２  メーター類
３  ランプ類
４  表示ユニット
５  制御ユニット
６  電子機器
７  バックライト
８  裏カバー
９  インストルメントパネル
１０  自走車両用計器装置
【図１】
2017094858.tif 000003
【図２】
2017094858.tif 000004